(57)【要約】【課題】払出メダルを受ける第１のメダルカップとは別に、投入拒否メダルを受ける第２のメダルカップを備えた回胴式遊技機において、その第２のメダルカップにおけるメダルの取り忘れが生じないようにする。【解決手段】第２のメダルカップ６０の内底面に、一対の電極６８，６８を設ける。一対の電極６８，６８は、メダルカップ６０内のメダルによって短絡するように配置されており、その短絡を電気的に検知することにより、メダルカップ６０内のメダルの残留を検知し、遊技者に告知する。【選択図】図３
2008284210.tif 000002
【特許請求の範囲】
【請求項１】
メダルが賭けられた状態でスタートレバーが操作されることにより図柄変動ゲームが開始され、ストップボタン操作により図柄変動が停止したときに有効ライン上に成立した図柄パターンに応じてメダルが払い出される回胴式遊技機において、
当該遊技機の機体正面に、払出メダルメダルを受ける第１のメダルカップと、規定外メダル等の投入拒否メダルを受ける第２のメダルンカップとを装備しており、第２のメダルカップにメダル忘れ告知用の残留メダル検知機構が設けられていることを特徴とする回胴式遊技機。
【請求項２】
請求項１に記載の回胴式遊技機において、
残留メダル検知機構は、第２のメダルンカップの内部底面に、カップ内のメダルによって短絡するように設けられた一対の電極と、一対の電極間に所定の電圧を印加する電源と、短絡による電極間の電圧変化又は電流変化からカップ内のメダル残留を検知する検知手段と、その検知を告知する告知手段とを有する回胴式遊技機。
【請求項３】
請求項１に記載の回胴式遊技機において、
第１のメダルカップは、機体正面中段の操作部に、メダル投入口に隣接して横長に設けられている回胴式遊技機。
【請求項４】
請求項３に記載の回胴式遊技機において、
第２のメダルカップは、第１のメダルカップより下側に、メダル投入口及びコインセレクタを介して設けられている回胴式遊技機。
【請求項５】
請求項１に記載の回胴式遊技機において、
払出メダルのストック及び払い出しを行う払出装置付きホッパーが、第１のメダルカップより上方に設けられており、投入された有効メダルを蓄積するメダルタンクが、第１のメダルカップより下方に設けられている回胴式遊技機。
【請求項６】
請求項３に記載の回胴式遊技機において、
機体正面の中段から上にかけての部分が上方に向かって背面側に傾斜しており、その傾斜正面の下部に前記操作部が形成されている回胴式遊技機。
【請求項７】
請求項６に記載の回胴式遊技機において、
前記傾斜正面の下部が側面からみて正面側へ三角形状に突出しており、その突出部の上面に前記操作部が形成されている回胴式遊技機。
【発明の詳細な説明】
【技術分野】
【０００１】
本発明は、一般にパチスロ機と称される回胴式遊技機に関し、更に詳しくは、投入された規定外メダル等の無効メダルがメダルカップに残留するのを告知して、その取り忘れを防止できるようにした回胴式遊技機に関する。
【背景技術】
【０００２】
近年、パチンコ機だけではなく、パチスロ機と称される回胴式遊技機を用いた遊技が、パチンコホールやパチスロ専用ホールで盛んに行われている。
【０００３】
この遊技においては、遊技者がメダルを所定枚数投入後、スタートスイッチを操作するこきにより、複数個の回転ドラムが回転し、次いで遊技者が回転ドラムに対応して設けられた複数個の押しボタン式のストップスイッチを操作することにより、回転ドラムを停止させる。そして、有効ライン上に当たりとなる特定図柄が揃えば、その役に応じた枚数のメダルが払い出され、これを獲得することができる。
【０００４】
その特定図柄として、例えば赤７図柄、または青７図柄が有効ライン上に揃った場合には、通常ゲームモードから、遊技者にとって最も有利なゲームモードであるビッグボーナスゲームモード（ＢＢゲームモード）に突入する。このビッグボーナスゲーム（ＢＢゲーム）においては、小役ゲームが所定回数消化されるか又はレギュラーボーナスゲーム（ＲＢゲーム）が所定回数実行されるまで継続するが、その間、メダルが払い出される役が頻繁に当選する結果、３００枚〜７００枚程度という大量のメダルが払い出される。
【０００５】
また、特定図柄として、例えばバー図柄が有効ライン上に揃った場合には、ＲＢゲームが１回だけ実行される。この場合もメダルが払い出される役が頻繁に当選する結果、ＢＢゲームには及ばないものの多数個のメダルが払い出される。
【０００６】
このように、パチスロ機と称される回胴式遊技機では、メダルを媒体として図柄変動ゲームが続けられる。機内におけるメダルの移動経路は以下のとおりである。
【０００７】
回胴式遊技機の筐体正面を覆う前扉の、最も操作しやすい部分である中段部正面に、メダル投入口が、スタートスイッチやストップスイッチなどと共に設けられている。メダル投入口から機内に投入されたメダルは、筐体の下部内に設けられたホッパーに投入される。ホッパーは、投入されたメダルをストックすると共に、役が成立したときにその役に対応する所定枚数のメダル払い出すメダル払出装置を下部に装備しており、その払出装置から前扉に設けられたメダル払出口にメダルの払出を行う。払出口から排出されたメダルは、払出口に連続して設けられたカップ状のメダル受けに貯留される。
【０００８】
ホッパーが筐体の下部内に設けられるのは、この部分に空間的な余裕があること、メダル投入口から投入されたメダルが重力を利用してホッパーに搬送され、機械的構造が簡略化されることなどが理由である。そして、ホッパーが筐体の下部内に設けられるために、メダル払出口及びメダル受けは、前扉の最下部に設けられることになる。
【０００９】
このような構造の回胴式遊技機では、投入されたメダルが、メダルセレクタにより正規のものか、規定外のものかが判別される。正規メダルはカンウトされてホッパーに投入される。規定外メダルとして代表的なものは硬貨である。規定外メダルは、メダルセレクタで投入拒否され、前述した前扉最下部のメダル受けに排出される。メダルが限界ストック数を超えて投入された場合も、そのメダルは投入拒否され、メダル受けに排出される。
【００１０】
遊技者は、メダル受けに溜まったメダルを逐次取り出してメダル投入口から機内に投入するが、メダル受けが前扉の最下部にあるため、遊技者から見ずらい上に、メダル投入口から離れている。これらのために、メダル受けからメダルを取るときに手さぐりとなり、しばしばメダルを落とす。またメダル投入口へメダルを投入するときにメダルを入れ損ねることもある。
【００１１】
このような問題のため、一部の回胴式遊技機では、メダル払出口及びメダル受けが、前扉の最も操作しやすい中段部正面に、メダル投入口などと共に設けられている。この構造（前扉中段の操作部にメダル受けを設ける構造）により、メダル受けに溜まったメダルを取り出してメダル投入口から機内へ再投入する操作は、非常に簡単かつ確実になり、楽にもなる。
【００１２】
しかしながら、この種の回胴式遊技機では、中段部正面に設けられたメダル受けで、硬貨等の投入拒否メダルを受けることができない。なぜなら、高さの関係で、投入拒否メダルを、投入口と同じ高さのメダル受けに排出することはできないからである。このため、投入拒否メダルを受ける別のメダル受けが、投入口より下（中段部正面のメダル受けより下）に別途設けられることになる（特許文献１参照）。その結果、遊技終了後に遊技者が下側のメダル受けにメダルが残っていることに気付かずに席を離れる、いわゆるメダルの取り忘れがしばしば発生するようになる。
【００１３】
【特許文献１】特開２０００−１６７２２８号公報
【発明の開示】
【発明が解決しようとする課題】
【００１４】
本発明の目的は、払出メダルを受ける第１のメダル受けとは別に投入拒否メダルを受ける第２のメダル受けを備えながらも、その第２のメダル受けにおけるメダルの取り忘れを防止できるようにした回胴式遊技機を提供することにある。
【課題を解決するための手段】
【００１５】
上記目的を達成するために、本発明の回胴式遊技機は、メダルが賭けられた状態でスタートレバーが操作されることにより図柄変動ゲームが開始され、ストップボタン操作により図柄変動が停止したときに有効ライン上に成立した図柄パターンに応じてメダルが払い出される回胴式遊技機において、当該遊技機の機体正面に、払出メダルメダルを受ける第１のメダルカップと、規定外メダル等の投入拒否メダルを受ける第２のメダルンカップとを装備しており、第２のメダルカップにメダル忘れ告知用の残留メダル検知機構が設けられた構成を採用する。
【００１６】
本発明の回胴式遊技機においては、投入拒否メダルを受ける第２のメダルンカップにメダル忘れ告知用の残留メダル検知機構が設けられているので、第２のメダルカップに残るメダルを遊技者が取り忘れる事態が回避される。
【００１７】
残留メダル検知機構は、第２のメダルンカップの内部底面に、カップ内のメダルによって短絡するように設けられた一対の電極と、一対の電極間に所定の電圧を印加する電源と、短絡による電極間の電圧変化又は電流変化からカップ内のメダル残留を検知する検知手段と、その検知を告知する告知手段とを有する構成が簡単で好ましい。この構成によれば、遊技者は第２のメダルカップにメダルが存在するのを常に認識することができる。
【００１８】
第１のメダルカップは、機体正面中段の操作部に、メダル投入口に隣接して横長に設けるのが好ましい。これによると、第１のメダルカップに排出される払出メダルを扱いやすく、そのカップ内の払出メダルを横のメダル投入口に投入する操作も容易となる。
【００１９】
その場合、第２のメダルカップは、第１のメダルカップより下側に、メダル投入口及びコインセレクタを介して設けるのが好ましい。これによると、メダル投入口から機内に投入されたメダルが投入拒否メダルの場合、重力を利用して第２のメダルカップまで搬送され、搬送機構が簡単になる。
【００２０】
払出メダルのストック及び払い出しを行う払出装置付きホッパーについては、これを第１のメダルカップより上方に設け、投入された有効メダルを蓄積するメダルタンクについては、これを第１のメダルカップより下方に設けるのが好ましい。この上部ホッパー、下部タンク構造によると、ホッパーから第１のメダルカップへの払出メダルの搬送、及びメダル投入口から投入された有効メダルの搬送を重力により直接行うことが可能となり、メダル押し上げ機構が不要になる。
【００２１】
機体正面中段の操作部操作部については、機体正面の中段から上にかけての部分を上方に向かって背面側に傾斜させ、その傾斜正面の下部に前記操作部を形成するのが、操作性の点から好ましく、傾斜正面の下部を側面からみて正面側へ三角形状に突出させて突出部の上面に形成するのが特に好ましい。
【００２２】
下部のメダルタンクを脱着式とすれば、そのメダルタンクに投入メダルが溜まったときに、メダルタンクを機体内から取り出し、その中のメダルを同じく期待内のホッパーに移し替える。或いは回収する。
【００２３】
機体正面には、一般に回胴遊技に関する各種映像演出や所要の情報の告知を行うフラット・パネル・ディスプレイからなる表示演出装置が設けられている。この表示演出装置は厚みが薄く、裏側に大きな空間的余裕を与える。前記ホッパーはこの表示演出装置裏側の余裕のある空間に設けるのが、機内空間の有効利用の点から好ましい。
【発明の効果】
【００２４】
本発明の回胴式遊技機は、払出メダルを受ける第１のメダル受けとは別に投入拒否メダルを受ける第２のメダル受けを備えるにもかかわらず、投入拒否メダルを受ける第２のメダルンカップにメダル忘れ告知用の残留メダル検知機構が設けられているので、第２のメダルカップに残るメダルを遊技者が取り忘れる事態を防止でき、遊技者の不用意なメダル損失を回避できる。
【発明を実施するための最良の形態】
【００２５】
以下、本発明の実施形態を図面に基づいて説明する。図１は本発明の一実施形態を示す回胴式遊技機の概略構成図、図２（ａ）（ｂ）は同回胴式遊技機に装備されている第２のコインカップの取付け状態を示す破断斜視図、図３（ａ）（ｂ）は同コインカップの斜視図である。
【００２６】
本実施形態の回胴式遊技機はパチスロ機である。この回胴式遊技機は、図１に示すように、略直方体状の筐体１０を有している。筐体１０は、下部の架台部１１と、その上に連接された本体部１２とからなる。架台部１１は直方体形状のボックスであり、内部に後述するメダルタンクなどを備えている。架台部１１の正面は開閉扉１３となっており、メダルタンクの出し入れのときになどに開閉操作される。開閉扉１３の横には、投入拒否メダルを受ける第２のコインカップ６０が設けられているが、これについては後で詳しく説明する。
【００２７】
筐体１０の本体部１２は、正面が下から上に向かって背面側へ傾斜（後傾）した角箱状に形成されている。本体部１２の最上部の奥行きは架台１１の奥行きより十分に小さく、最下部の奥行きは架台部１１の奥行きと同じである。本体部１２の最下部より上の下段部は操作部として、架台部１１の正面から正面側へ三角形状に突出している。
【００２８】
本体部１２の正面の三角形状の突出部１４より上の部分は前扉１５である。前扉１５の上部正面には、図柄表示部が設けられている。図柄表示部は、垂直面に横に並んだ３つの四角形の窓を形成することにより構成されており、それぞれを通して有効ライン上に並んだ左ドラム、中ドラム及び右ドラムの各図柄を目視することができる。有効ラインは、ここでは横一本であるが、上段、中段及び下段の横三本と斜め二本の組合せとすることもできる。
【００２９】
図柄表示部の裏側に位置して本体部１２の上部内にはドラム部が収容されている。ドラム部は、横に並んだ３つの縦型の回転ドラム、すなわち左ドラム、中ドラム及び右ドラムにより構成される。各回転ドラムの内部には、回胴部図柄表示ＬＥＤが設けられており、各種演出に応じて発光（点灯や点滅）又は消灯を行う。
【００３０】
前扉１５の図柄表示部より下には、ＬＣＤ（液晶ディスプレイ）、ＰＤＰ（プラズマ・ディスプレイ・パネル）又は有機ＥＬ（エレクトロ・ルミネッセンス）などのＦＰＤ（フラット・パネル・ディスプレイ）からなる演出表示部が設けられている。演出表示部は、回胴遊技に関する各種映像演出や所要の情報の告知等を行うようになっており、遊技者から見やすいように、本体部１２の正面の中段部に位置してその正面の略半分を占めており、かつ下から上に向かって背面側へ傾斜（後傾）している。所要の情報とは、クレジット枚数、メダル払出累計枚数等である。
【００３１】
前扉１５の下端部から本体部１２の突出部１４上面にかけての部分が操作部１６である。操作部１６は、回胴式遊技機の全体から見た場合は操作しやすい機器正面の中段部に位置しており、操作に係わる機器類、部材類を一体化した操作ユニット２０により構成されている。
【００３２】
操作ユニット２０は、右端にメダル投入口２１を有し、その左側には、横に長い第１のメダルカップ２２を有している。メダルカップ２２の垂直な背面には、メダル払出口２３が設けられている。メダルカップ２２の正面側は、略水平な操作パネル２４である。操作パネル２４には、マックスベッドボタン、スタートボタン、３つのドラムに対応するドラム停止ボタン、清算ボタン及び投入メダル詰まり返却ボタンなどの操作ボタン類が略横一列に並んで集中的に設けられている。
【００３３】
筐体１０の本体部１２内には、払出装置付きのホッパー３０が設けられている。ホッパー３０はＦＰＤ（フラット・パネル・ディスプレイ）からなる演出表示部の裏側に、ドラム部の下側に位置して配置されている。ＦＰＤ（フラット・パネル・ディスプレイ）からなる演出表示部は厚みが薄く、傾斜（後傾）を考慮しても裏側に十分な空間を確保する。この空間を利用してホッパー３０は配置されているのである。
【００３４】
ホッパー３０はメダルをストック（貯留）する本体部３１とその下のメダル払出装置３２とからなる。本体部３１は上面が全面的に開放した容器であって、大量のメダルをストック（貯留）することができ、その下部は下方に向かって絞られた構造になっている。ホッパー３０の下部に付設されたメダル払出装置３２は、ドラム部において成立した役（有効ライン上に沿った図柄に対応する役）に対応する枚数のメダルを払い出す。メダル払出装置３２から排出されたメダルは、図示されない重力降下式のガイドに案内されて、ホッパー３０より下のメダル払出口２３から第１のメダルカップ２２内に排出される。
【００３５】
一方、操作ユニット２０のメダル投入口２１から投入されたメダルは、下方のメダルセレクタ４０により、投入メダルが正規のものか、規定外のものかが判別される。正規メダルはカンウトされて架台部１１内のメダルタンクに投入される。硬貨等の規定外メダルは、メダルセレクタ４０で投入拒否され、ガイド５０を経て第２のメダルカップ６０に排出され、返却される。メダルが限界ストック数を超えて投入された場合も、そのメダルは投入拒否され、第２のメダルカップ６０に排出返却される。
【００３６】
投入拒否メダルを受ける第２のメダルカップ６０は、図１に示すように、筐体１０の架台部１１の正面右端部に設けられている。このメダルカップ６０は、図２及び図３に示すように、正面が開口し背面側に膨らんだ本体６１と、本体６１の正面側に装着される枠状のカバー６２とからなる。本体６１は、垂直なフランジ状の取付け部６３により、架台部１１の正面に取付けられる。本体６１の底部は、下方へ碗状に窪んだメダル受け６４であり、その一部は、取付け部６３の正面側に突出している。本体６１の水平な天板部には、ガイド５０を経て投入されるメダルの導入口６５が設けられている。
【００３７】
メダルカップ６０の枠状のカバー６２は、本体６１のフランジ状の取付け部６３に正面側から結合され、主に、本体６１の碗形のコイン受け６４を正面側へ且つ斜め上方へ立ち上げて延長する。カバー６２の両側部からは、一対の結合用ピン６９，６９が後方へ突出している。結合用ピン６９，６９は、取付け部６３に設けられた丸孔６６，６６に嵌合して、カバー６２を本体６１に結合する。
【００３８】
このメダルカップ６０は、架台部１１の正面に設けられた角形の取付け孔１９に正面側から取付けられる。具体的には、取付け部６３より後側が取付け孔１９に嵌合し、本体６１の底部から下方に突出する突起６７とフランジ状の取付け部６３とにより、メダルカップ６０を架台部１１の正面に固定する。この状態で、碗状の底部の過半分が架台部１１の正面側へ突出し、メダルの導入口６５は架台部１１内に位置する。
【００３９】
メダルカップ６０の本体６１の底部には、一対の電極６８，６８が取付けられている。一対の電極６８，６８は、本体６１の底部に形成された碗状のメダル受け６４の奥から手前へ伸びる帯状の導電薄板であり、そのメダル受け６４の内面（上面）に僅かの隙間をあけて平行に取付けられている。このような電極６８，６８の取付けにより、メダル受け６４にメダルが載ったときは、そのメダルによって電極６８，６８の間が電気的に短絡することになる。
【００４０】
そして、電極６８，６８は、一対の電極６８，６８間に所定の電圧を印加する電源、電極６８，６８間の短絡による電圧変化又は電流変化からメダルカップ６０内のメダル残留を検知する検知手段、及びその検知を告知する告知手段と組み合わされて、残留メダル検知機構を構成する。検知手段は、本体部１２内の主基板に構成される。告知手段としては、前述した前扉１５の演出表示部が用いられ、検知手段から検知信号が発信される間、メダルカップ６０内にメダルが残留している旨の告知が、その演出表示部を通して行われる。また必要に応じて音声を併用して行われる。
【００４１】
図４は本実施形態の回胴式遊技機に装備された制御回路系の全体構造を示すブロック図である。
【００４２】
回胴式遊技機の制御回路系は、メインブロック（主基板：破線で囲っていない部分）とサブブロック（副基板：破線で囲った部分）とに大別される。メインブロックは遊技結果に関する制御を、サブブロックは遊技経過や結果告知・表示の様々な演出に関する制御を司る。メインブロックからの信号はサブブロックに出力されるが、逆にサブブロックからメインブロックへは一切信号が受信できないようになっている。これはゴト対策のためであり、風俗営業等の規制及び業務の適正化等に関する法律により規定されている。
【００４３】
メインブロックは、ＣＰＵを内蔵したマイクロプロセッサを搭載する一体型のワンチップマイコン（エルイーテック社製ＬＥ４２８０Ｂ−ＰＡ−Ｇ１）からなる主制御部１００を有している。主制御部１００は、所定のデータテーブル領域や装置全体の制御手順を記述した制御プログラムを記憶するＲＯＭ１００ａと、カウンタやレジスタ等が形成され制御に必要な情報を一時的に記憶するＲＡＭ１００ｂ（ＲＷＭ：リライタブルメモリともいう）とを備えている。
【００４４】
主制御部１００には、Ｉ／０ポート（図示せず）を介して、入力系であるスタートＳＷセンサ１１０、停止ボタンセンサ１２０、メダル検出センサ１３０、ベットボタンセンサ１４０、段階設定部１５０及びメダルセンサ１７０が接続されている。
【００４５】
メダル検出センサ１３０は、メダル投入口から投入されたメダル数に応じた数のパルス信号を出力し、主制御部１００はこのパルス信号を受信して、表示ＬＥＤブロック中のメダル貯留枚数表示ＬＥＤにパルス数に応じた数だけ増加したクレジット数を表示させるように制御する。
【００４６】
ベットボタン検出センサ１４０は、１ベットボタン又はマックスベットボタンの操作に応じてパルス信号を出力し、主制御部１００は得られたパルス信号に対応するように投入枚数ＬＥＤの枚数表示を制御する。
【００４７】
段階設定部１５０は、後述する出玉率の段階設定操作を行うことにより、ホール側は、イベントや新装オープンでの放出や収益改善のための回収状況に応じて、段階値１〜６の中から所望の設定値を選択することができる。
【００４８】
メダルセンサ１７０は、メダルカップ６０内の電極６８，６８間の電圧変化等からメダルカップ６０内の残留メダルを検知するものであり、前述した残留メダル検知機構の検知手段に対応する。
【００４９】
主制御部１００は、これらの入力系からの入力信号を受信可能に構成されている。主制御部１００は又、Ｉ／０ポート（図示せず）を介して、入出力系であるドラム部、及び出力系であるメダル払出装置及び表示ＬＥＤブロックと接続されており、主制御部１００はこれらの各装置を制御可能に構成されている。
【００５０】
更に、主制御部１００はＩ／０ポート（図示せず）を介して、副制御部１６０と接続されており、サブブロックの各種制御に必要な制御データ（例えば、コイン投入データや当選状況データ、段階設定部のスイッチ操作状態を示すデータ、段階設定値）を副制御部１６０に出力する。なお、副制御部１６０は、内蔵ＲＡＭに段階設定値の履歴情報も併せて記憶しており、履歴情報は電池でバックアップされているので主電源を切っても消えることはない。
【００５１】
副制御部１６０は、主制御部１００と同様に、ＣＰＵを内蔵したマイクロプロセッサを搭載する一体型のワンチップマイコンであり、サブブロック全体の制御手順を記述した制御プログラムを記憶するＲＯＭ（図示せず）と、カウンタ、タイマーやレジスタ等が形成され主制御部１００から受信した制御に必要な情報を一時的に記憶するＲＡＭ（図示せず）などを備えている。この副制御部１６０は、段階設定部のスイッチ操作状態を示すデータに基づいてタイマーをスタートさせ、所定時間経過してもＯＮ又はＯＦＦとならない場合、音と光及び液晶表示で異常の発生を報知する。
【００５２】
この副制御部１６０には、主制御部１００と共に、入力系である入力ＳＷ部、計時部等が接続されている。また、副制御部１６０は、出力系である表示演出装置、スピーカ部、遊技状態表示ＬＥＤ部と接続されている。副制御部１６０は各装置からの入力信号を受け付けたり、必要なデータや信号を各装置に出力して各種制御を行うことが可能なように構成されている。
【００５３】
入力ＳＷ部は、出玉率の段階設定操作が行われた場合の警告モードの設定や、警告を発生させる又は発生させない時間帯の設定を行う。この警告モードとしては、警告発生機能のオン状態又はオフ状態と、設定した時間帯のみ警告を発生させるタイマー状態の３つのモードがある。なお、入力ＳＷ部は、サブブロックの初期化を行うための初期化スイッチとスピーカ部の音量を切り替える際に使用する音量スイッチからなり、その両方を同時に押した場合に機能するようになっている。
【００５４】
計時部は、衛星などから絶対時間データを貰い正確な時間を刻む電波時計からなり、計時した時間を副制御部１６０に出力する。
【００５５】
遊技者が所定数のメダルを投入後、スタートスイッチを操作すると、スタートＳＷセンサ１１０はスタート信号を出力し、主制御部１００はこのスタート信号の受信を契機として乱数抽選（内部当たり抽選）等を行うと共に、ドラム部に駆動パルス信号を出力して変動表示ゲームを開始し、且つ抽選結果に基づいてドラム部の停止タイミングを制御するようになっている。なお、この１回のスタートスイッチの操作によって行われる遊技が１ゲームの変動表示ゲームとなっており、遊技者はボーナスゲーム（ビッグボーナス又はレギュラーボーナス）を獲得してメダルを増やすことを目的に、遊技を繰り返す。
【００５６】
そして、主制御部１００は、変動表示ゲームにおいて所定の役が成立し、メダルの払い出しを行う場合、その払出し数を表示ＬＥＤブロック中のメダル払出枚数表示ＬＥＤに表示し、これをクレジット数に加えてメダル貯留枚数表示ＬＥＤに表示させる。なお、精算ボタンによって払い出し操作が行われた場合やクレジット数が例えば最大数の５０枚を超えた場合には、主制御部１００はメダル払出装置を駆動制御し、必要数のメダルをメダル払出口から排出させて第１のメダルカップに蓄積させる。
【００５７】
さらに、主制御部１００は、小役が成立した場合や、特にボーナスゲームが内部当選した場合には、副制御部１６０に内部当選等に関する制御データを出力する。そして、副制御部１６０は、主制御部１００から制御データを受け取ると、遊技状態表示ＬＥＤ部の点灯制御による告知、スピーカ部から効果音を発生させる為の音声合成ＬＳＩ（図示せず）の制御による告知、表示演出装置の表示画面内におけるキャラクタや背景映像の制御表示による公知、第２のメダルカップにおけるメダル残留の告知といった各種の告知動作を行う。
【００５８】
以上の如く構成された本実施形態の回胴式遊技機の機能は以下のとおりである。
【００５９】
遊技者は、筐体１０の本体部１２に設けられた操作ユニット２０のメダル投入口２１からメダルを投入する。投入されたメダルはメダルセレクタ４０で正規のものと規定外のものに区別される。正規のメダルはメダルセレクタ４０でカウントされ、最大５０枚までクレジットされる。カウントされた正規メダルは、重力により架台部１１内のメダル搬送路を落下し、架台部１１内のメダルタンクに投入され溜まる。
【００６０】
遊技の際には、遊技者は操作ユニット２０の操作パネル２４に設けられたベッドボタンを押し、遊技メダルの枚数を設定する。設定された遊技メダルの枚数がクレジット数から差し引かれる。これでゲームスタンバイ状態となり、この状態で操作パネル２４に設けられたスタートボタンを押すことにより図柄変動ゲームが開始される。
【００６１】
図柄変動ゲームではゲーム開始と同時に内部抽選が実施される。またドラム部が回転を開始する。この状態で遊技者は、操作パネル２４に設けられたストップボタンを押す。ストップボタンは、ドラム部における３個のドラムに対応しており、ストップボタンが押されたタイミングで対応するドラムを停止させる。ただし、ドラムの停止位置は、基本的に内部抽選結果に支配される。
【００６２】
図柄表示部における有効ライン上に図柄が揃い役が成立すると、その成立役に対応する枚数のメダルがホッパー３０から排出される。また、成立役によってはビッグボーナスゲームなどの特別ゲームに突入する。ホッパー３０から排出されたメダルは、重力により本体部１２内のメダル搬送路を落下し、操作ユニット２０のメダル払出口２３から第１のメダルカップ２２内に排出される。
【００６３】
図柄変動ゲームを繰り返すにつれて、第１のメダルカップ２２にメダルが溜まる。遊技者は、メダルカップ２２に溜まったメダルを逐次メダル投入口２１から投入するが、メダルカップ２２もメダル投入口２１も共に操作ユニット２０にあって接近している。そして、操作ユニット２０は遊技機正面の最も操作しやすい中段部に位置し、しかも正面側へ突出している。このため、メダルカップ２２からメダル投入口２１へのメダル移し替え操作が簡単となり、その移し替えの際にメダルを不用意に落とすといった事態が回避される。すなわち、メダルカップ２２内のメダルを取り扱い安い上に、直接目視が可能であり、メダル投入口２１とも近く、移し替え安いのである。
【００６４】
また、メダルカップ２２が遊技機正面の中段部にあるにもかかわらず、ホッパー３０はそれより高い位置にあるため、重力を利用してホッパー３０からメダルカップ２２へのメダル搬送を行うことができる。この重力搬送のため、このメダル搬送が非常にスムーズとなり、搬送路におけるメダル詰まりが防止されると共に、メダル押し上げ機構が不要となる。メダル押し上げ機構が不要となることにより、メダルの傷みや磨耗が抑制され、この点からもメダル詰まりの防止が図られる。そして、メダル詰まり回数が減ることにより、店員が本体部１２の前扉１５を開いて詰まりを解消する手数が減り、店員の負担が軽減される。
【００６５】
また、メダル投入口２１から機内に投入されたメダルについても、下方の架台部１１内のメダルタンクに重力を利用して搬入される。したがって、このメダルについても詰まり、傷み、磨耗が抑制され、これもメダル詰まりの防止に寄与する。メダルタンクが一杯になると、架台部１１の正面の開閉扉１３を開け、メダルタンクを取り出してタンク内のメダルを回収する。或いは、本体部１２の前扉１５を開けて、タンク内のメダルをホッパー３０内に投入する。
【００６６】
投入されたメダルが規定外の投入拒否メダルの場合、そのメダルはメダルセレクタ４０で選別され、正規のメダルの搬送路とは別のガイド５０を通って、架台部１１の正面に取付けられた第２のメダルカップ６０に排出される。この投入拒否メダルの搬送も重力によりスムーズに行われる。また、第２のメダルカップ６０におけるメダルの取り忘れの問題が解決される。
【００６７】
すなわち、本実施形態の回胴式遊技機では、払出メダルを受ける第１のメダルカップ２２が中段部の操作ユニット２０に配置されたため、メダルセレクタ４０で選別された規定外メダルを、このメダルカップ２２で回収することができなくなった。このため、投入拒否メダルを受けるための第２のメダルカップ６０が、第１のメダルカップ２２より下に別途設けられることになった。ところが、第２のメダルカップ６０は遊技者から見にくい下段位置にあり、しかも遊技おける払出等とは直接関係がないため、遊技者はしばしばメダルカップ６０内のメダルの存在を忘れて遊技を終え、席を立ち去る。
【００６８】
しかるに、本実施形態の回胴式遊技機では、第２のメダルカップ６０内にメダルが存在すると、その存在が本体部１２の正面の演出表示部により告知される。また、必要に応じてスピーカ部からの音声を併用して告知が行われる。このため、遊技者は第２のメダルカップ６０内にメダルが残留していることを常に認識でき、そのメダルを取り忘れることがなくなる。
【００６９】
第２のメダルカップ６０内のメダルの残留を検知する検知機構は、本実施形態ではメダルカップ６０の内底面に取付けられた電極６８，６８を使用したが、フォトセンサなどを用いた光学式でもよく、特にその種類を問うものではない。
【図面の簡単な説明】
【００７０】
【図１】本発明の一実施形態を示す回胴式遊技機の概略構成図である。
【図２】（ａ）（ｂ）は同回胴式遊技機に装備されている第２のコインカップの取付け状態を示す破断斜視図である。
【図３】（ａ）（ｂ）は同コインカップの斜視図である。
【図４】同回胴式遊技機に装備された制御回路系の全体構造を示すブロック図である。
【符号の説明】
【００７１】
１０  筐体
１１  架台部
１２  本体部
１３  開閉扉
１４  突出部
１５  前扉
１６  操作部
１９  取付け孔
２０  操作ユニット
２１  メダル投入口
２２  第１のメダルカップ
２３  メダル払出口
２４  操作パネル
３０  ホッパー
３１  本体部
３２  メダル払出装置
４０  メダルセレクタ
５０  ガイド
６０  第２のメダルカップ
６１  本体
６２  カバー
６３  取付け部
６５  メダル導入口
６７  支持用の突起
６８  電極
【図１】
2008284210.tif 000003
【図２】
2008284210.tif 000004
【図３】
2008284210.tif 000005
【図４】
2008284210.tif 000006
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
メダル投入口からメダルが投入され、所定数のメダルが賭けられた状態でスタートレバーが操作されることにより図柄変動ゲームが開始され、ストップボタン操作により図柄変動が停止したときに有効ライン上に成立した図柄パターンに応じてホッパーのメダル払出装置からメダルが払い出される回胴式遊技機において、
当該遊技機の機体正面に、上方に設けられた前記メダル払出装置から排出され、重力降下式のガイドに案内されてメダル払出口から排出された払出メダルを受ける第１のメダルカップと、
前記メダル投入口から投入され、メダルセレクタで投入拒否された投入拒否メダルを受けると共に、メダル忘れ告知用の残留メダル検知機構が設けられた第２のメダルカップとを装備し、
前記第２のメダルカップは、垂直なフランジ状の取付け部が形成され且つ正面が開口し背面側に膨らんだ本体と、前記本体の正面側に装着される枠状のカバーとからなり、
前記枠状のカバーは、該カバーの両側部から後方へ突出する一対の結合用ピンが前記取付け部に設けられた丸孔に嵌合して前記フランジ状の取付け部に正面側から結合され、
前記第２のメダルカップは、前記取付け部より後側が当該遊技機の架台部の正面に設けられた取付け孔に嵌合し、前記本体の底部から下方に突出する突起と前記取付け部とにより前記架台部の正面に固定されること、
を特徴とする回胴式遊技機。
【請求項２】
請求項１に記載の回胴式遊技機において、
前記残留メダル検知機構は、前記第２のメダルカップの内部底面に、カップ内のメダルによって短絡するように設けられた一対の電極と、一対の電極間に所定の電圧を印加する電源と、短絡による電極間の電圧変化又は電流変化からカップ内のメダル残留を検知する検知手段と、その検知を告知する告知手段とを有する回胴式遊技機。
【請求項３】
メダル投入口からメダルが投入され、スタート操作されることによりゲームが開始すると共に、ホッパーのメダル払出装置からメダルが払い出される遊技機において、
当該遊技機の機体正面に、上方に設けられた前記メダル払出装置から排出され、重力降下式のガイドに案内されてメダル払出口から排出された払出メダルを受ける第１のメダルカップと、
前記メダル投入口から投入され、メダルセレクタで投入拒否された投入拒否メダルを受けると共に、メダル忘れ告知用の残留メダル検知機構が設けられた第２のメダルカップとを装備し、
前記第２のメダルカップは、垂直なフランジ状の取付け部が形成され且つ正面が開口し背面側に膨らんだ本体と、前記本体の正面側に装着される枠状のカバーとからなり、
前記枠状のカバーは、該カバーの両側部から後方へ突出する一対の結合用ピンが前記取付け部に設けられた丸孔に嵌合して前記フランジ状の取付け部に正面側から結合され、
前記第２のメダルカップは、前記取付け部より後側が当該遊技機の架台部の正面に設けられた取付け孔に嵌合し、前記本体の底部から下方に突出する突起と前記取付け部とにより前記架台部の正面に固定されること、
を特徴とする遊技機。
【手続補正２】
【補正対象書類名】明細書
【補正対象項目名】００１５
【補正方法】変更
【補正の内容】
【００１５】
上記目的を達成するために、本発明の回胴式遊技機は、メダル投入口からメダルが投入され、所定数のメダルが賭けられた状態でスタートレバーが操作されることにより図柄変動ゲームが開始され、ストップボタン操作により図柄変動が停止したときに有効ライン上に成立した図柄パターンに応じてホッパーのメダル払出装置からメダルが払い出される回胴式遊技機において、当該遊技機の機体正面に、上方に設けられた前記メダル払出装置から排出され、重力降下式のガイドに案内されてメダル払出口から排出された払出メダルを受ける第１のメダルカップと、前記メダル投入口から投入され、メダルセレクタで投入拒否された投入拒否メダルを受けると共に、メダル忘れ告知用の残留メダル検知機構が設けられた第２のメダルカップとを装備し、前記第２のメダルカップは、垂直なフランジ状の取付け部が形成され且つ正面が開口し背面側に膨らんだ本体と、前記本体の正面側に装着される枠状のカバーとからなり、前記枠状のカバーは、該カバーの両側部から後方へ突出する一対の結合用ピンが前記取付け部に設けられた丸孔に嵌合して前記フランジ状の取付け部に正面側から結合され、前記第２のメダルカップは、前記取付け部より後側が当該遊技機の架台部の正面に設けられた取付け孔に嵌合し、前記本体の底部から下方に突出する突起と前記取付け部とにより前記架台部の正面に固定されることを特徴とする。
【手続補正３】
【補正対象書類名】明細書
【補正対象項目名】００１７
【補正方法】変更
【補正の内容】
【００１７】
本発明の回胴式遊技機においては、前記残留メダル検知機構は、前記第２のメダルカップの内部底面に、カップ内のメダルによって短絡するように設けられた一対の電極と、一対の電極間に所定の電圧を印加する電源と、短絡による電極間の電圧変化又は電流変化からカップ内のメダル残留を検知する検知手段と、その検知を告知する告知手段とを有することを特徴とする。
本発明の遊技機においては、メダル投入口からメダルが投入され、スタート操作されることによりゲームが開始すると共に、ホッパーのメダル払出装置からメダルが払い出される遊技機において、当該遊技機の機体正面に、上方に設けられた前記メダル払出装置から排出され、重力降下式のガイドに案内されてメダル払出口から排出された払出メダルを受ける第１のメダルカップと、前記メダル投入口から投入され、メダルセレクタで投入拒否された投入拒否メダルを受けると共に、メダル忘れ告知用の残留メダル検知機構が設けられた第２のメダルカップとを装備し、前記第２のメダルカップは、垂直なフランジ状の取付け部が形成され且つ正面が開口し背面側に膨らんだ本体と、前記本体の正面側に装着される枠状のカバーとからなり、前記枠状のカバーは、該カバーの両側部から後方へ突出する一対の結合用ピンが前記取付け部に設けられた丸孔に嵌合して前記フランジ状の取付け部に正面側から結合され、前記第２のメダルカップは、前記取付け部より後側が当該遊技機の架台部の正面に設けられた取付け孔に嵌合し、前記本体の底部から下方に突出する突起と前記取付け部とにより前記架台部の正面に固定されることを特徴とする。
【手続補正書】
【提出日】平成20年8月19日(2008.8.19)
【手続補正１】
【補正対象書類名】特許請求の範囲
【補正対象項目名】全文
【補正方法】変更
【補正の内容】
【特許請求の範囲】
【請求項１】
メダル投入口からメダルが投入され、所定数のメダルが賭けられた状態でスタートレバーが操作されることにより図柄変動ゲームが開始され、ストップボタン操作により図柄変動が停止したときに有効ライン上に成立した図柄パターンに応じてホッパーのメダル払出装置からメダルが払い出される回胴式遊技機において、
当該遊技機の筐体は、下部の架台部と、その上に連接された本体部とからなり、
前記架台部の内部にはメダルタンクを備え、正面の開閉扉はメダルタンクの出し入れのときに開閉操作され、
前記開閉扉の横には、投入拒否メダルを受ける第２のコインカップが設けられており、
前記本体部は正面が下から上に向かって背面側へ傾斜した角箱状に形成され、その最下部より上の下段部は操作部として、架台部の正面から正面側へ三角形状に突出しており、
前記本体部の正面の三角形状の突出部より上の部分は前扉であり、当該前扉の上部正面には図柄表示部が設けられ、有効ライン上に並んだ左ドラム、中ドラム及び右ドラムの各図柄を目視することができ、
当該遊技機の機体正面に、前記メダル払出装置から排出され、重力降下式のガイドに案内されてメダル払出口から排出された払出メダルを受ける第１のメダルカップと、
前記メダル投入口から投入され、メダルセレクタで投入拒否された投入拒否メダルを受けると共に、メダル忘れ告知用の残留メダル検知機構が設けられた第２のメダルカップとを装備し、
前記メダル払出装置は、前記第１のメダルカップの上方に設けられており、
前記第２のメダルカップは、その水平な天板部に前記メダルセレクタからガイドを経て投入されるメダルの導入口が設けられるとともに、垂直なフランジ状の取付け部が形成され且つ正面が開口し背面側に膨らんだ本体と、前記本体の正面側に装着される枠状のカバーとからなり、
前記枠状のカバーは、該カバーの両側部から後方へ突出する一対の結合用ピンが前記取付け部に設けられた丸孔に嵌合して前記フランジ状の取付け部に正面側から結合され、
前記第２のメダルカップは、前記取付け部より後側が当該遊技機の架台部の正面に設けられた取付け孔に嵌合し、前記本体の底部から下方に突出する突起と前記取付け部とにより前記架台部の正面に固定されること、
を特徴とする回胴式遊技機。
【請求項２】
請求項１に記載の回胴式遊技機において、
前記残留メダル検知機構は、前記第２のメダルカップの内部底面に、カップ内のメダルによって短絡するように設けられた一対の電極と、一対の電極間に所定の電圧を印加する電源と、短絡による電極間の電圧変化又は電流変化からカップ内のメダル残留を検知する検知手段と、その検知を告知する告知手段とを有する回胴式遊技機。
【手続補正２】
【補正対象書類名】明細書
【補正対象項目名】００１５
【補正方法】変更
【補正の内容】
【００１５】
上記目的を達成するために、本発明の回胴式遊技機は、メダル投入口からメダルが投入され、所定数のメダルが賭けられた状態でスタートレバーが操作されることにより図柄変動ゲームが開始され、ストップボタン操作により図柄変動が停止したときに有効ライン上に成立した図柄パターンに応じてホッパーのメダル払出装置からメダルが払い出される回胴式遊技機において、当該遊技機の筐体は、下部の架台部と、その上に連接された本体部とからなり、前記架台部の内部にはメダルタンクを備え、正面の開閉扉はメダルタンクの出し入れのときに開閉操作され、前記開閉扉の横には、投入拒否メダルを受ける第２のコインカップが設けられており、前記本体部は正面が下から上に向かって背面側へ傾斜した角箱状に形成され、その最下部より上の下段部は操作部として、架台部の正面から正面側へ三角形状に突出しており、前記本体部の正面の三角形状の突出部より上の部分は前扉であり、当該前扉の上部正面には図柄表示部が設けられ、有効ライン上に並んだ左ドラム、中ドラム及び右ドラムの各図柄を目視することができ、当該遊技機の機体正面に、前記メダル払出装置から排出され、重力降下式のガイドに案内されてメダル払出口から排出された払出メダルを受ける第１のメダルカップと、前記メダル投入口から投入され、メダルセレクタで投入拒否された投入拒否メダルを受けると共に、メダル忘れ告知用の残留メダル検知機構が設けられた第２のメダルカップとを装備し、前記メダル払出装置は、前記第１のメダルカップの上方に設けられており、前記第２のメダルカップは、その水平な天板部に前記メダルセレクタからガイドを経て投入されるメダルの導入口が設けられるとともに、垂直なフランジ状の取付け部が形成され且つ正面が開口し背面側に膨らんだ本体と、前記本体の正面側に装着される枠状のカバーとからなり、前記枠状のカバーは、該カバーの両側部から後方へ突出する一対の結合用ピンが前記取付け部に設けられた丸孔に嵌合して前記フランジ状の取付け部に正面側から結合され、前記第２のメダルカップは、前記取付け部より後側が当該遊技機の架台部の正面に設けられた取付け孔に嵌合し、前記本体の底部から下方に突出する突起と前記取付け部とにより前記架台部の正面に固定されることを特徴とする。
【手続補正３】
【補正対象書類名】明細書
【補正対象項目名】００１７
【補正方法】変更
【補正の内容】
【００１７】
本発明の回胴式遊技機においては、前記残留メダル検知機構は、前記第２のメダルカップの内部底面に、カップ内のメダルによって短絡するように設けられた一対の電極と、一対の電極間に所定の電圧を印加する電源と、短絡による電極間の電圧変化又は電流変化からカップ内のメダル残留を検知する検知手段と、その検知を告知する告知手段とを有することを特徴とする。